(57)【要約】【課題】番組情報データのジャンル項目を選択して所望の番組を検索するジャンル検索を、より簡単な操作で行うことができるとともに、選択した大分類のジャンルに属する放送番組のうち中分類のジャンルが同じ放送番組を容易に把握することが可能なデジタル放送受信機を提供する。【解決手段】テレビジョン受像機１００において、指定手段（ＣＰＵ１６１、指定プログラム１６３ｂ等）は、上位階層のジャンルをユーザに指定させ、表示手段（ＣＰＵ１６１、表示プログラム１６３ｃ等）は、受信手段（チューナ部５、ＣＰＵ１６１、受信プログラム１６３ａ等）により受信された番組情報データに基づいて、指定手段により指定された上位階層のジャンルに属する放送番組の所定の番組情報を、下位階層のジャンル別に表示部に表示させる。【選択図】図１
2009033432.tif 000002
【特許請求の範囲】
【請求項１】
放送番組データ及び放送番組に関する番組情報データを受信する受信手段を備えるデジタル放送受信機において、
前記番組情報データには、上位階層及びこの上位階層に対応付けられた下位階層のジャンルから成るジャンル情報データが含まれ、
前記上位階層のジャンルをユーザに指定させる指定手段と、
前記受信手段により受信された番組情報データに基づいて、前記指定手段により指定された前記上位階層のジャンルに属する放送番組の所定の番組情報を、前記下位階層のジャンル別に表示部に表示させる表示手段と、
を備えることを特徴とするデジタル放送受信機。
【請求項２】
前記表示手段は、前記表示部に下位階層のジャンル別に表示された放送番組のうち、複数の下位階層のジャンルに属する同一の放送番組の番組情報の表示態様を、他の放送番組の番組情報の表示態様と異ならせることを特徴とする請求項１に記載のデジタル放送受信機。
【請求項３】
前記表示手段により、前記表示部に下位階層のジャンル別に表示された放送番組の中から、複数の下位階層のジャンルに属する同一の放送番組を順に選択する選択手段を備えていることを特徴とする請求項１又は２に記載のデジタル放送受信機。
【請求項４】
前記表示手段は、前記表示部に下位階層のジャンル別に表示された放送番組を、放送開始時刻の早い順番に並べて表示させることを特徴とする請求項１〜３の何れか一項に記載のデジタル放送受信機。
【請求項５】
放送番組データ及び放送番組に関する番組情報データを受信する受信手段を備えるデジタル放送受信機において、
前記番組情報データには、上位階層及びこの上位階層に対応付けられた下位階層のジャンルから成るジャンル情報データが含まれ、
前記上位階層のジャンルをユーザに指定させる指定手段と、
前記受信手段により受信された番組情報データに基づいて、前記指定手段により指定された前記上位階層のジャンルに属する放送番組の所定の番組情報を、前記下位階層のジャンル別に表示部に表示させる表示手段と、
前記表示手段により、前記表示部に下位階層のジャンル別に表示された放送番組の中から、複数の下位階層のジャンルに属する同一の放送番組を順に選択する選択手段と、
を備え、
前記表示手段は、前記表示部に下位階層のジャンル別に表示された放送番組のうち、複数の下位階層のジャンルに属する同一の放送番組の番組情報の表示態様を、他の放送番組の番組情報の表示態様と異ならせるとともに、前記表示部に下位階層のジャンル別に表示された放送番組を、放送開始時刻の早い順番に並べて表示させることを特徴とするデジタル放送受信機。 
【発明の詳細な説明】
【技術分野】
【０００１】
本発明は、デジタル放送受信機に関する。
【背景技術】
【０００２】
デジタル放送の分野では、放送番組データとともに、番組に関する番組情報データ（ＳＩ（Service Information：番組配列情報））を伝送している。番組情報データは、番組のタイトルや、チャンネル、放送局、ジャンル、放送開始時刻・放送終了時刻、出演者、番組内容等を含み、デジタル放送の受信側においてＥＰＧ（Electronic Program Guide: 電子番組ガイド）として表示され、番組の視聴予約や、録画予約等に利用されている。
【０００３】
番組情報データには、大分類ジャンルと中分類ジャンルの２段階に階層化されたジャンル情報データが含まれている。ジャンル情報データは、各番組に対して、大分類のジャンルを最大３つまで付加するとともに、大分類のジャンルが付加された各番組に対して、中分類のジャンルを最大３つまで付加するものである。
【０００４】
番組情報データに含まれるこのようなジャンル情報データは、ジャンルを指定することにより所望の番組の検索を行うジャンル検索に利用されている。例えば、特許文献１では、ジャンル検索を行う場合、最初に、大ジャンルの項目を選択するための画面が表示される。この画面において、ユーザが所望の大ジャンルの項目を選択すると、次に、中ジャンルの項目を選択するための画面が表示される。この画面において、更に、所望の中ジャンルの項目を選択すると、当該中ジャンルに属する番組項目が表示されることとなる。
【特許文献１】特開２００１−２６８４６７号公報
【発明の開示】
【発明が解決しようとする課題】
【０００５】
上記のように、特許文献１においてジャンル検索を行う場合には、大ジャンルの選択と中ジャンルの選択の、２段階の操作が必要であり、操作が煩雑であった。また、このようなジャンル検索では、ある大分類のジャンルに属する放送番組を中分類のジャンル別に把握することができないため、中分類のジャンルが不明な放送番組については、ジャンル検索が困難であるという問題があった。
【０００６】
本発明の課題は、放送番組に関する番組情報データを受信可能なデジタル放送受信機において、番組情報データのジャンル項目を選択して所望の番組を検索するジャンル検索を、より簡単な操作で行うことができるとともに、選択した大分類のジャンルに属する放送番組のうち中分類のジャンルが同じ放送番組を容易に把握することを可能とすることである。
【課題を解決するための手段】
【０００７】
上記課題を解決するため、請求項１に記載の発明は、放送番組データ及び放送番組に関する番組情報データを受信する受信手段を備えるデジタル放送受信機において、
前記番組情報データには、上位階層及びこの上位階層に対応付けられた下位階層のジャンルから成るジャンル情報データが含まれ、
前記上位階層のジャンルをユーザに指定させる指定手段と、
前記受信手段により受信された番組情報データに基づいて、前記指定手段により指定された前記上位階層のジャンルに属する放送番組の番組情報データに基づく所定の番組情報を、前記下位階層のジャンル別に表示部に表示させる表示手段と、
を備えることを特徴とする。
【０００８】
請求項２に記載の発明は、請求項１に記載のデジタル放送受信機において、前記表示手段は、前記表示部に下位階層のジャンル別に表示された放送番組のうち、複数の下位階層のジャンルに属する同一の放送番組の番組情報の表示態様を、他の放送番組の番組情報の表示態様と異ならせることを特徴とする。
【０００９】
請求項３に記載の発明は、請求項１又は２に記載のデジタル放送受信機において、前記表示手段により、前記表示部に下位階層のジャンル別に表示された放送番組の中から、複数の下位階層のジャンルに属する同一の放送番組を順に選択する選択手段を備えていることを特徴とする。
【００１０】
請求項４に記載の発明は、請求項１〜３の何れか一項に記載のデジタル放送受信機において、前記表示手段は、前記表示部に下位階層のジャンル別に表示された放送番組を、放送開始時刻の早い順番に並べて表示させることを特徴とする。
【００１１】
請求項５に記載の発明は、放送番組データ及び放送番組に関する番組情報データを受信する受信手段を備えるデジタル放送受信機において、
前記番組情報データには、上位階層及びこの上位階層に対応付けられた下位階層のジャンルから成るジャンル情報データが含まれ、
前記上位階層のジャンルをユーザに指定させる指定手段と、
前記受信手段により受信された番組情報データに基づいて、前記指定手段により指定された前記上位階層のジャンルに属する放送番組の番組情報データに基づく所定の番組情報を、前記下位階層のジャンル別に表示部に表示させる表示手段と、
前記表示手段により、前記表示部に下位階層のジャンル別に表示された放送番組の中から、複数の下位階層のジャンルに属する同一の放送番組を順に選択する選択手段と、
を備え、
前記表示手段は、前記表示部に下位階層のジャンル別に表示された放送番組のうち、複数の下位階層のジャンルに属する同一の放送番組の番組情報の表示態様を、他の放送番組の番組情報の表示態様と異ならせるとともに、前記表示部に下位階層のジャンル別に表示された放送番組を、放送開始時刻の早い順番に並べて表示させることを特徴とする。
【発明の効果】
【００１２】
本発明によれば、受信手段により、放送番組データ及び放送番組に関する番組情報データが受信され、番組情報データには、上位階層及びこの上位階層に対応付けられた下位階層のジャンルから成るジャンル情報データが含まれ、指定手段により、上位階層のジャンルがユーザにより指定され、表示手段により、受信手段により受信された番組情報データに基づいて、指定手段により指定された上位階層のジャンルに属する放送番組の所定の番組情報が、下位階層のジャンル別に表示部に表示される。
したがって、放送番組に関する番組情報データを受信可能なデジタル放送受信機において、番組情報データのジャンル項目を選択して所望の番組を検索するジャンル検索を、より簡単な操作で行うことができるとともに、選択した大分類のジャンルに属する放送番組のうち中分類のジャンルが同じ放送番組を容易に把握できることとなる。
【発明を実施するための最良の形態】
【００１３】
以下、本発明の実施の形態を、図面を参照しながら詳細に説明する。本実施形態では、デジタル放送受信機として、テレビジョン受像機を例に説明を行う。
【００１４】
図１は、本実施形態におけるテレビジョン受像機１００の要部構成を例示するブロック図である。
本実施形態のテレビジョン受像機１００は、図１に示すように、指定手段としてのリモートコントローラ２と、このリモートコントローラ２により遠隔操作される受像機本体１と、を備えて構成されている。
【００１５】
リモートコントローラ（以下、「リモコン」と称する。）２は、ユーザが受像機本体１に対して各種指示を入力するための複数のキーを備えており、ユーザによるキーの押下操作を検出して、押下されたキーに対応するリモコン信号を出力することにより、受像機本体１を遠隔操作する。具体的には、リモコン２を受像機本体１に向けた状態でユーザがキーを押下すると、押下されたキーに対応する赤外線等のリモコン信号が生成されて出力され、当該入力操作信号が受像機本体１の前面パネル等に設けられたリモコン信号受光部３において受信されることとなる。
【００１６】
リモコン２には、例えば、図２に示すように、受像機本体１の電源をオン／オフする電源キー２１、各々に「０」〜「１０」の数字が割り当てられたテンキー２２、チャンネルアップダウンキー２３、各種メニュー画面を表示させるメニューキー２４、番組表を表示させるＥＰＧ表示キー２５、入力を確定する決定キー２６、入力を消去するクリアキー２７、音量を調節するボリュームアップダウンキー２８、音声モードを切替選択する音声モード切替キー２９、前の状態に戻るためのリターンキー３０、上キー・下キー・左キー・右キーから成る上下左右キー３１等が備わる。
なお、このようなキー操作群が、受像機本体１の前面部等に設けられていても良い。
【００１７】
受像機本体１は、リモコン２からのリモコン信号を受信するリモコン信号受光部３、放送信号を受信するアンテナ４、アンテナ４により受信された放送信号から所定の放送信号を選局する受信手段としてのチューナ部５、チューナ部５により選局された放送信号をトランスポートストリーム（ＴＳ）に復調する復調部６、復調部６により復調されたＴＳを分離する分離部７、分離部７により分離されたストリームを復号するビデオデコーダ８及びオーディオデコーダ９、分離部７により分離されたＥＰＧデータを復号するＥＰＧデコーダ１０、ビデオデコーダ８により復号された映像信号に対して所定の映像処理を行う映像処理部１１、オーディオデコーダ９により復号された音声信号に対して所定の音声処理を行う音声処理部１２、映像処理部１１により処理された映像信号にＯＳＤデータを付加するＯＳＤ回路１３、映像処理部１１により処理された映像信号を出力する表示部１４、音声処理部１２により処理された音声信号を出力する音声出力部１５、テレビジョン受像機１００全体を統括制御する制御部１６等を備えており、各部はバス１７により接続されている。
【００１８】
リモコン信号受光部３は、例えば、図示は省略するが、フォトダイオード、ＳＵＢＣＰＵ、増幅部、復調部、デコーダ等を備えて構成されており、リモコン２から送信されたリモコン信号を、前面パネルに設けられたフォトダイオードにおいて受信すると、ＳＵＢＣＰＵの制御により、増幅部により増幅した後に復調部において復調し、さらに、デコーダにより波形整形、誤り訂正等の各種処理を行って、制御部１６に対して出力する。
【００１９】
アンテナ４は、例えば、ＢＳアンテナ、ＣＳアンテナ、地上デジタルアンテナ等を備えて構成されており、屋外において所定の方向に向けて配置され、図示しないテレビジョン放送局等から発信される高周波（RF）のデジタルテレビジョン放送信号を受信する。
チューナ部５は、例えば、図示は省略するが、高周波増幅回路と、局部発振回路及び混合回路から成る周波数変換回路と、を備えて構成されており、アンテナ４等により入力されたテレビジョン放送信号を、高周波増幅回路において増幅し、混合回路において局部発振回路から出力される局部発振信号と混合する。さらに、特定の周波数を選局するための制御部１６からの制御出力に応じて、特定周波数帯の中間周波信号（IF信号）を受信し、当該中間周波信号に所定の処理を行って復調部６に出力する。
【００２０】
復調部６は、例えば、制御部１６からの制御に基づいて、チューナ部５から出力された中間周波信号に対してデジタル復調や誤り訂正などの処理を実行し、ＴＳを生成して、分離部７に出力する。
【００２１】
分離部７は、復調部６から入力されるＴＳからビデオストリーム、オーディオストリーム、ＰＳＩ（Program Specific Information:番組特定情報）／番組情報データとしてのＳＩ（Service Information: 番組配列情報）を分離する。そして、ＴＳに含まれるＰＳＩに基づいて、入力されたＴＳから必要なＴＳパケットを分離する。さらに、分離されたＴＳパケットのうち、ＭＰＥＧ２（Moving Picture Experts Group 2）規格下のビデオストリームをビデオデコーダ８に、オーディオストリームをオーディオデコーダ９に、さらに、ＥＰＧ情報として用いられるＳＩをＥＰＧデコーダ１０に出力する。
【００２２】
ここでＰＳＩは、ＰＭＴ（Program Map Table）、ＰＡＴ（Program Association Table）、ＮＩＴ（Network Information Table）、ＣＡＴ（Conditional Access Table）の４つのテーブルであり、番組の選択等に用いられる。
また、番組情報データとしてのＳＩは、ＳＤＴ（Service Description Table）、ＥＩＴ（Event Information Table）、ＢＡＴ（Bouquet Association Table）、ＴＤＴ（Time Date Table）等の各種テーブルである。ＳＩには、現在放送中の全放送局の放送番組と、一週間以内に放送予定の全放送局の放送番組とに関する情報（例えば、タイトル、チャンネル、放送局、ジャンル、放送時刻としての放送開始時刻・放送終了時刻、出演者、番組内容等）が含まれ、後述する表示プログラム１６３ｃの実行において、ＥＰＧとしてユーザに提供される。
ＳＩにおいて、各放送番組に付与されるジャンル情報データは、上位階層のジャンルとしての大分類ジャンルと、この大分類ジャンルに対応付けられた下位階層のジャンルとしての中分類ジャンルから構成されている。例えば、大分類ジャンルとして、「ニュース／報道」「スポーツ」「情報／ワイドショー」「ドラマ」「音楽」「バラエティ」「映画」「アニメ／特撮」「ドキュメンタリー／教養」「劇場／公演」「福祉」「その他」が設定可能である。また、例えば、大分類ジャンル「スポーツ」の下位の中分類ジャンルとして、「スポーツニュース」「野球」「サッカー」「ゴルフ」「その他球技」「相撲・格闘技」「オリンピック・世界大会」「マラソン・陸上・水泳」「モータースポーツ」「マリン・ウォータースポーツ」「競馬・公営競技」「その他」「テニス」「バスケットボール」「ラグビー」「アメリカンフットボール」「ボクシング」「プロレス」が設定可能である。
【００２３】
ビデオデコーダ８は、分離部７から入力されたビデオストリームを復号し、逆ＤＣＴ変換や動き補償制御等を行い、映像データを生成して映像処理部１１に出力する。また、オーディオデコーダ９は、分離部７から入力されたオーディオストリームを復号し、音声データを生成して音声処理部１２に出力する。
ＥＰＧデコーダ１０は、分離部７から入力されたＳＩを復号して、制御部１６に出力する。制御部１６に入力されたＳＩは、ＥＰＧメモリ１６２２ａに格納されることとなる。
【００２４】
映像処理部１１は、ビデオデコーダ８から入力された映像データに対して、Ｄ／Ａ変換等の各種処理を施し、映像信号を生成する。また、音声処理部１２は、オーディオデコーダ９から入力された音声データに対して、Ｄ／Ａ変換等の各種処理を施し、音声信号を生成する。生成された映像信号は表示部１４に出力され、音声信号は音声出力部１５に出力される。
ＯＳＤ回路１３は、ＥＰＧの表示に際して、制御部１６からの指示出力に応じて、ＥＰＧメモリ１６２２ａに格納されたＳＩから必要なデータを読み出し、読み出したデータに基づいてＥＰＧ表示用データを生成する。そして、生成されたＥＰＧ表示用データを、映像処理部１１から出力される映像信号に合成させ、表示部１４に出力させる。
【００２５】
表示部１４は、例えば、ＬＣＤ（Liquid Crystal Display）、ＰＤＰ（Plasma Display Panel）等の図示しないディスプレイを備え、映像処理部１１から入力された映像信号に基づく映像を当該ディスプレイに表示させる。
音声出力部１５は、例えば、図示しないスピーカ等を備え、音声処理部１２から入力された音声信号に基づく音声を当該スピーカにより出力させる。
【００２６】
制御部１６は、ＣＰＵ（Central Processing Unit）１６１、メモリ部１６２、ＲＯＭ（Read Only Memory）１６３、計時処理を行う計時部１６４等を備えて構成されている。
【００２７】
ＣＰＵ１６１は、受像機本体１の各部から入力された入力信号や、リモコン２における各種キーの押下操作によって入力された入力操作信号等に応じて、ＲＯＭ１６３に格納された各種プログラムを実行するとともに、実行にかかるプログラムに基づいて受像機本体１の各部に出力信号を出力することにより、テレビジョン受像機１００の動作全般を統括制御する。
【００２８】
メモリ部１６２は、例えば、ＲＡＭ（Random Access Memory）等の揮発性メモリからなるワークエリア１６２１を備えており、ＣＰＵ１６１によって各種プログラムが実行される際に生じる処理結果や、入力されたデータ等をこのワークエリア１６２１に記憶させる。
【００２９】
また、メモリ部１６２は、ＥＰＲＯＭ（Erasable Programmable ROM）等の不揮発性メモリからなるデータエリア１６２２を備えている。データエリア１６２２には、例えば、ＥＰＧメモリ１６２２ａが備わり、ＥＰＧデコーダ１０から入力されるＥＰＧ情報を記憶する。
【００３０】
ＲＯＭ１６３は、不揮発性メモリから成るプログラム格納エリアを有しており、具体的には、受信プログラム１６３ａ、指定プログラム１６３ｂ、表示プログラム１６３ｃ、選択プログラム１６３ｄ等を備えている。
【００３１】
受信プログラム１６３ａは、例えば、ＣＰＵ１６１に、放送番組データ及び放送番組に関する番組情報データを受信する機能を実現させるためのプログラムである。
具体的には、ＣＰＵ１６１は、チューナ部５を特定周波数帯に同調させ、当該特定周波数帯のデジタル放送信号を受信する。このデジタル放送信号には、映像データと音声データとから成る放送番組データと、番組情報データとしてのＳＩが多重化されている。
ＣＰＵ１６１は、かかる受信プログラム１６３ａを実行することにより、チューナ部５とともに受信手段を構成する。
【００３２】
指定プログラム１６３ｂは、例えば、ＣＰＵ１６１に、大分類ジャンル（上位階層のジャンル）をユーザに指定させる機能を実現させるためのプログラムである。
具体的には、ユーザは、ジャンル検索に際して、リモコン２のキー操作部に備わるメニューキー２４を操作する。ＣＰＵ１６１は、メニューキー２４が操作されたと判断すると、図３に例示するメニュー画面を表示部１４に表示させる。ユーザは、表示部１４に表示された当該メニュー画面において、アップダウンキーを操作して「ジャンル検索」の項目にカーソルを移動させ、決定キー２６を操作する。すると、ＣＰＵ１６１は、図４に例示する大分類ジャンルを選択するためのジャンル検索画面を表示部１４に表示させる。
図４に示すように、ジャンル検索画面では、大分類ジャンルとして指定可能な「ニュース／報道」「スポーツ」「情報／ワイドショー」「ドラマ」「音楽」「バラエティ」「映画」「アニメ／特撮」「ドキュメンタリー／教養」「劇場／公演」「福祉」「その他」等の項目が表示されている。ユーザは、この画面において、上下左右キー３１を操作して、所望の大分類ジャンルの項目にカーソルを移動させ、決定キー２６を押下することにより、所望の大分類ジャンルを指定する。
ＣＰＵ１６１は、かかる指定プログラム１６３ｂを実行することにより、リモコン２とともに指定手段として機能する。
【００３３】
表示プログラム１６３ｃは、例えば、ＣＰＵ１６１に、受信プログラム１６３ａにより受信されたＳＩ（番組情報データ）に基づいて、指定プログラム１６３ｂにより指定された大分類ジャンル（上位階層のジャンル）に属する放送番組の所定の番組情報を、中分類ジャンル（下位階層のジャンル）別に表示部１４に表示させる機能を実現させるためのプログラムである。また、表示プログラム１６３ｃは、表示部１４に中分類ジャンル（下位階層のジャンル）別に表示された放送番組のうち、複数の中分類ジャンル（下位階層のジャンル）に属する同一の放送番組の番組情報の表示態様を、他の放送番組の番組情報の表示態様と異ならせるとともに、表示部１４に中分類ジャンル（下位階層のジャンル）別に表示された放送番組を、放送開始時刻の早い順番に並べて表示させる。
【００３４】
例えば、図４のジャンル検索画面において、ユーザが、所望の大分類ジャンル「スポーツ」の項目を指定した場合、ＣＰＵ１６１は、図５に示すように、指定された大分類ジャンル「スポーツ」に属する放送番組を、当該「スポーツ」の下位の中分類ジャンル別に表示する、ジャンル検索結果表示画面を表示部１４に表示する。
図５に示すように、ジャンル検索結果表示画面では、指定された大分類ジャンル「スポーツ」に属する放送番組の所定の番組情報を表示する番組情報セルが、大分類ジャンル「スポーツ」の下位に存在する中分類ジャンル別に横軸方向に並べられているとともに、中分類ジャンル別に並べられた番組情報セルが、放送開始時間の早い順番で縦軸方向に並べられる２次元配列が行われている。各放送番組の所定の番組情報には、例えば、放送局、放送時間（放送開始時刻及び放送終了時刻）、タイトル等が含まれる。
図５のジャンル検索結果表示画面では、中分類ジャンル「スポーツニュース」「野球」「サッカー」別に、これらの中分類ジャンルに属する放送番組の番組情報セルが横軸方向に配列されている。さらに、各中分類ジャンルに属する放送番組の番組情報セルが、放送開始時間の早い順番で、横軸方向に配列されている。
ジャンル検索結果表示画面は、横方向及び縦方向にスクロール可能であり、「スポーツ」の下位に存在する他の中分類ジャンル（例えば、「ゴルフ」「その他球技」「相撲・格闘技」「オリンピック・世界大会」「マラソン・陸上・水泳」「モータースポーツ」「マリン・ウォータースポーツ」「競馬・公営競技」「その他」「テニス」「バスケットボール」「ラグビー」「アメリカンフットボール」「ボクシング」「プロレス」等）に属する放送番組や、異なる時間帯に放送される放送番組を表示させることができる。
【００３５】
また、ジャンル検索表示画面では、複数の中分類ジャンルに属する同一の放送番組の番組情報の表示態様が、他の放送番組の番組情報の表示態様と異なっており、複数の中分類ジャンルに属する同一の放送番組のそれぞれを識別することができる。例えば、放送局Ｂ・放送時間１３：００〜１４：００・タイトル「ＣＣＣ」の放送番組に対して、野球・サッカー・ゴルフの３つの中分類ジャンルが付与されている場合には、図５に示すように、他の放送番組の番組情報セルにおいて番組情報として表示される放送局・放送時間・タイトルの他に、当該放送番組「ＣＣＣ」の属する複数の中分類ジャンル（野球・サッカー・ゴルフ）が示されているとともに、当該放送番組「ＣＣＣ」の番組情報セルが、色・濃度等により、他のセルと区別されている。さらに、この番組情報セルに、後述の選択プログラム１６３ｄの実行において、表示部１４に表示された当該複数の中分類ジャンルに属する同一の放送番組のそれぞれを順に選択するために必要な操作（例えば、右キーの長押し）が示されている。
また、図示は省略するが、ジャンル検索結果表示画面において、複数の中分類ジャンルに属する同一の放送番組が、複数存在する場合には、互いに表示態様（色・濃度等）を異ならせるようにしても良い。
ＣＰＵ１６１は、かかる表示プログラム１６３ｃを実行することにより、表示手段として機能する。
【００３６】
選択プログラム１６３ｄは、例えば、ＣＰＵ１６１に、表示プログラム１６３ｃにより、表示部１４に下位階層のジャンル別に表示された放送番組の中から、複数の下位階層のジャンルに属する同一の放送番組を順に選択する機能を実現させるためのプログラムである。
前述のように、例えば、放送局Ｂ・放送時間１３：００〜１４：００・タイトル「ＣＣＣ」の放送番組に対して、野球・サッカー・ゴルフの３つの中分類ジャンルが付与されている場合に、図５のジャンル検索結果表示画面では、中分類ジャンル「野球」以下の放送番組「ＣＣＣ」の番組情報セルと、中分類ジャンル「サッカー」以下の放送番組「ＣＣＣ」の番組情報セルとが、他のセルと区別されて表示されるとともに、当該放送番組「ＣＣＣ」を順に選択するための操作（例えば、右キーの長押し）が表示されている。また、中分類ジャンル「野球」に分類された放送番組「ＣＣＣ」の番組情報セルにカーソルが表示されている。
【００３７】
図５の画面において、ユーザが、右キーの長押し操作を行うと、ＣＰＵ１６１は、図６に示すように、中分類ジャンル「野球」以下の放送番組「ＣＣＣ」の番組情報のセルに位置するカーソルを、中分類ジャンル「サッカー」以下の放送番組「ＣＣＣ」の番組情報セルに移動させ、中分類ジャンル「サッカー」に分類された放送番組「ＣＣＣ」を選択する。一方、ユーザが、右キーを長押しせずに操作した場合には、カーソルは、隣の番組情報セル（例えば、タイトル「ＢＢＢ」の放送番組）に移動することとなる。ユーザは、右キー・左キー・上キー・下キーから成る上下左右キー３１を操作して、カーソルを所望の番組情報セルに移動させることができる。
さらに、図６の画面において、ユーザが、再び、右キーを長押し操作すると、ＣＰＵ１６１は、図７に示すように、画面を右にスクロールして、中分類ジャンル「野球」「サッカー」「ゴルフ」別に、これらの中分類ジャンルに属する放送番組の番組情報が配列された画面を表示部１４に表示させる。また、この画面において、中分類ジャンル「サッカー」以下の放送番組「ＣＣＣ」の番組情報のセルに位置するカーソルを、中分類ジャンル「ゴルフ」以下の放送番組「ＣＣＣ」の番組情報セルに移動させ、中分類ジャンル「ゴルフ」に分類された放送番組「ＣＣＣ」を選択する。
また、図示は省略するが、ユーザが、更に右キーを長押し操作すると、ＣＰＵ１６１は、画面を左にスクロールし、再び、「野球」以下の放送番組「ＣＣＣ」の番組情報セルにカーソルを移動させる。
すなわち、ユーザが、所定の操作（例えば、右キーの長押し）を行う度に、複数の下位階層のジャンルに属する同一の放送番組の番組情報のそれぞれが、順に選択されることとなる。
ＣＰＵ１６１は、かかる選択プログラム１６３ｄを実行することにより、選択手段として機能する。
【００３８】
次に、図８のフローチャートを参照しながら、ＣＰＵ１６１により実行されるジャンル検索処理について説明する。
【００３９】
まず、ＣＰＵ１６１は、制御部１６に入力される入力操作信号に基づいて、ジャンル検索処理の実行を指示する操作が行われたか否かを判断する。ＣＰＵ１６１は、ステップＳ１において、ジャンル検索処理の実行の指示が有ると判断すると（ステップＳ１；Ｙｅｓ）、ステップＳ２において、ＥＰＧメモリ１６２２ａにアクセスして、ＥＰＧデータとしてのＳＩが有るか否かを判断する。ＣＰＵ１６１は、ステップＳ２において、ＥＰＧデータが有ると判断すると（ステップＳ２；Ｙｅｓ）、ステップＳ３に移行する。
【００４０】
ステップＳ３において、ＣＰＵ１６１は、ＥＰＧメモリ１６２２ａからＥＰＧデータを読み出して、読み出したＥＰＧデータに含まれる先頭のサービス（放送局）を検索対象とする。次に、ステップＳ４において、検索中のサービスのうち、先頭の番組を検索対象とする。
そして、ＣＰＵ１６１は、ステップＳ５において、α＝０として、ステップＳ６において、検索対象である放送番組の大分類ジャンルと、検索する大分類ジャンルが一致するか否かを判断する。ＣＰＵ１６１は、ステップＳ６において、放送番組の大分類ジャンルと検索する大分類ジャンルが一致しないと判断すると（ステップＳ６；Ｎｏ）、ステップＳ１０に進む。一方、放送番組の大分類ジャンルと検索する大分類ジャンルが一致すると判断すると（ステップＳ６；Ｙｅｓ）、ステップＳ７において、当該放送番組の中分類ジャンルｘに対応した配列［ｘ］［ｙ］に、放送番組の番組情報を格納し、ステップＳ８に進む。
ステップＳ８において、ＣＰＵ１６１は、配列［ｘ］［ｙ−１］に、番組情報が存在するか否かを判断する。ＣＰＵ１６１は、ステップＳ８において、番組情報が存在しないと判断すると（ステップＳ８；Ｎｏ）、ステップＳ１０に進み、一方、番組情報が存在すると判断すると（ステップＳ８；Ｙｅｓ）、ステップＳ９において、放送番組の開始時刻順で、配列［ｘ］［ｙ］をソートする。番組開始時刻が同じ場合、ＣＰＵ１６１は、既に格納済みである番組情報を優先させてソートする。
【００４１】
ステップＳ１０において、ＣＰＵ１６１は、αをインクリメントして、ステップＳ１１において、α＞２であるか否かを判断する。ＣＰＵ１６１は、ステップＳ１１において、α＞２でないと判断すると（ステップＳ１１；Ｎｏ）、ステップＳ６に戻って以上の処理を繰り返す。一方、ＣＰＵ１６１は、α＞２であると判断すると（ステップＳ１１；Ｙｅｓ）、ステップＳ１２において、ＥＰＧデータに、未検索の次番組が存在するか否かを判断する。ＣＰＵ１６１は、ステップＳ１２において、次番組が存在しないと判断すると（ステップＳ１２；Ｎｏ）、ステップＳ１３において、未検索の次サービスが存在するか否かを判断する。ＣＰＵ１６１は、ステップＳ１３において、次サービスが存在しないと判断すると（ステップＳ１３；Ｎｏ）、ステップＳ１４において、ジャンル検索の結果を表示部１４に表示させ、本処理を終了する。
一方、ＣＰＵ１６１は、ステップＳ１２において、次番組が存在すると判断すると（ステップＳ１２；Ｙｅｓ）、ステップＳ１５に進んで、検索対象を次番組に変更し、ステップＳ５に戻って以上の処理を繰り返す。また、ＣＰＵ１６１は、ステップＳ１３において、次サービスが存在すると判断すると（ステップＳ１３；Ｙｅｓ）、ステップＳ１６に進んで、検索対象を次サービスに変更し、ステップＳ４に戻って以上の処理を繰り返す。
【００４２】
以上説明した本実施形態におけるテレビジョン受像機１００によれば、ＣＰＵ１６１による受信プログラム１６３ａの実行により、放送番組データ及び放送番組に関する番組情報データが受信され、番組情報データには、上位階層及びこの上位階層に対応付けられた中分類ジャンルから成るジャンル情報データが含まれ、指定プログラム１６３ｂの実行により、大分類ジャンルがユーザにより指定され、表示プログラム１６３ｃの実行により、受信プログラム１６３ａにより受信された番組情報データに基づいて、指定プログラム１６３ｂにより指定された大分類ジャンルに属する放送番組の所定の番組情報が、中分類ジャンル別に表示部１４に表示される。
したがって、放送番組に関する番組情報データを受信可能なテレビジョン受像機１００において、番組情報データのジャンル項目を選択して所望の番組を検索するジャンル検索を、より簡単な操作で行うことができるとともに、選択した大分類のジャンルに属する放送番組のうち中分類のジャンルが同じ放送番組を容易に把握できることとなる。
【００４３】
また、表示プログラム１６３ｃの実行により、表示部１４に中分類ジャンル別に表示された放送番組のうち、複数の中分類ジャンルに属する同一の放送番組の番組情報の表示態様が、他の放送番組の番組情報の表示態様と異ならせられる。したがって、複数の中分類ジャンルに属する同一の放送番組を、他の放送番組と区別して、視覚的に容易に識別することができる。
【００４４】
また、選択プログラム１６３ｄの実行により、表示プログラム１６３ｃにより表示部１４に中分類ジャンル別に表示された放送番組の中から、複数の中分類ジャンルに属する同一の放送番組が順に選択される。したがって、複数の中分類ジャンルに属する同一の放送番組のそれぞれを選択することができ、使い勝手を向上させることができる。
【００４５】
さらに、表示プログラム１６３ｃの実行により、表示部１４に中分類ジャンル別に表示された放送番組が、放送開始時刻の早い順番に並べて表示される。したがって、中分類ジャンル別に表示された番組情報の視認性が向上するとともに、ユーザにとってより使い勝手の良いテレビジョン受像機１００を提供することができる。
【００４６】
なお、本発明は、上記実施形態に限られることなく、発明の趣旨を逸脱しない範囲において、種々の改良並びに設計の変更を行っても良い。
例えば、指定プログラム１６３ｂにおける上位階層のジャンルの指定方法は、複数のジャンルの中から選択して行う方法に限られず、ジャンルに含まれるキーワードを入力して指定する方法であっても良い。
また、例えば、表示プログラム１６３ｃの実行において表示部１４に表示される放送番組の所定の番組情報は、放送局・放送時間・タイトル等に限られず、出演者や番組内容等のＳＩから抽出可能な他の情報であっても良い。
また、表示プログラム１６３ｃの実行により、ジャンル検索結果表示画面において、中分類ジャンルの順番が、視聴履歴に基づく過去に視聴した回数の多い順番で横軸方向（又は縦軸方向）に並べられて表示される構成であっても良い。これにより、ユーザが視聴する可能性の高い放送番組がより選択し易くなる。
また、表示プログラム１６３ｃの実行により、ジャンル検索結果表示画面において、特定の複数の中分類ジャンルに属する放送番組のみを表示させる欄を設けても良い。すなわち、例えば、「野球・サッカー・ゴルフ」の３つの中分類ジャンルに属する放送番組の番組情報を表示する欄を設ける。これにより、特定の複数の中分類ジャンルに属する放送番組を一目で認識できるとともに、当該放送番組が容易に選択できることとなる。
【図面の簡単な説明】
【００４７】
【図１】本実施形態におけるテレビジョン受像機の全体構成を例示するブロック図である。
【図２】リモートコントローラの平面図である。
【図３】指定プログラムの実行に際して、表示部に表示されるメニュー画面を例示する図である。
【図４】表示プログラムの実行に際して、表示部に表示されるジャンル検索画面を例示する図である。
【図５】表示プログラムの実行に際して、表示部に表示されるジャンル検索結果表示画面を例示する図である。
【図６】表示プログラム及び選択プログラムの実行に際して、表示部に表示されるジャンル検索結果表示画面を例示する図である。
【図７】表示プログラム及び選択プログラムの実行に際して、表示部に表示されるジャンル検索結果表示画面を例示する図である。
【図８】ジャンル検索処理を示すフローチャートである。
【符号の説明】
【００４８】
１００    テレビジョン受像機（デジタル放送受信機）
５        チューナ部（受信手段）
１４      表示部
１６１    ＣＰＵ
１６３ａ  受信プログラム（受信手段）
１６３ｂ  指定プログラム（指定手段）
１６３ｃ  表示プログラム（表示手段）
１６３ｄ  選択プログラム（選択手段）
【図１】
2009033432.tif 000003
【図２】
2009033432.tif 000004
【図３】
2009033432.tif 000005
【図４】
2009033432.tif 000006
【図５】
2009033432.tif 000007
【図６】
2009033432.tif 000008
【図７】
2009033432.tif 000009
【図８】
2009033432.tif 000010